(57)【要約】      （修正有）【課題】風力と電気モータの併用で、無風時にも自動的にモータ駆動に切り替わって打音振動を地中に直接伝達するモグラ忌避装置の提供。【解決手段】地面に立設した中空状の支柱１１上に設置された回転羽根４により発生する回転変動振動音を、地中に埋設した索道管１１中に配設されたフレキシブルケーブルを通じて地下に伝達するモグラ忌避装置であって、無風時には、少なくとも一ケ所以上の場所から、併設された電灯線又は電池式モータ駆動に自動的に切り替えることによって、フレキシブルケーブルを回転させ、発生する振動音を流し続ける構成とした。回転羽根４は、別に設けられた風見鳥６により、常に風の方向と連動するものとする。フレキシブルケーブルには、中空状の複数の球形、楕円形或いは円柱形状をした金属片を固定して、フレキシブルケーブルの索道管１１内での位置を常に一定にすると共に、索道管内壁との接当による振動音を発生させるようにした。【選択図】  図１
2006109790.tif 000002
【特許請求の範囲】
【請求項１】
地面に設置した中空状の支柱上に設置された回転羽根により発生する振動を地中に張り巡らせた索道管中にフレキシブルケーブルを通じて栽培用ビニールハウスの周辺地下中に伝達するモグラ忌避装置であって、無風時には少なくとも一ケ所以上の場所から設置された電気的方式又は電池式起動で該索道管中に敷設されたフレキシブルケーブルを通じてより強い振動音を流し続ける事を特徴とするモグラ忌避装置。
【請求項２】
地面に設置した中空状の支柱上に設置された回転羽根により発生する振動を地中に張り巡らせた索道管中にフレキシブルケーブルを通じて栽培用ビニールハウスの周辺地下中に伝達するモグラ忌避であって該回転羽根が回転羽根に対比して設けられた風見鳥の風向きによって回転方向が３６０度調節されると共に、無風時には少なくとも一ケ所以上の場所から設置された電気的方式又は電池式起動で該索道管中に敷設されたフレキシブルケーブルを通じてより強い振動音を流し続ける事を特徴とする請求項１記載のモグラ忌避装置。
【請求項３】
地面に設置した中空状の支柱上に設置された回転羽根により発生する振動を地中に張り巡らせた索道管中にフレキシブルケーブルを通じて栽培用ビニールハウスの周辺地下中に伝達するモグラ忌避であって、無風時には少なくとも一ケ所以上の場所から設置された電気的方式又は電池式起動で該索道管中に敷設されたフレキシブルケーブルを通じてより強い振動音を流し続けるモグラ忌避装置にであって、該金属製柔軟軸線に中空状の複数の球形又は楕円形状を固定した事を特徴とする請求項１又は請求項２記載のモグラ忌避装置。
【発明の詳細な説明】
【技術分野】
【０００１】
モグラの音、振動による忌避装置に関する。
【背景技術】
【０００２】
羽根式で風力による振動伝達の方法や電池式で発生音を地中に埋設したポール棒を通じて外側の接触音を間接的にモグラに伝えていた。
【発明の開示】
【発明が解決しようとする課題】
【０００３】
モグラ忌避音は回転羽根周辺より発生するだけであって、効果的な振動を地下へ伝える事が出来なかったり、フレキシブルケーブルをＬ字形、Ｓ字形等のあらゆる３６０度曲げても回転力を索道管内で錯綜する事無く余す所無く打音、振動を地中まで直接に伝達する必要があった。
【課題を解決するための手段】
【０００４】
上記の課題を解決する為に鋭意研究した結果本発明に到達したもので、即ち本発明は
地面に設置した中空状の支柱上に設置された回転羽根により発生する振動を地中に張り巡らせた索道管中にフレキシブルケーブルを通じて公園内又は栽培用ビニールハウスの周辺地下中に伝達するモグラ忌避であって、公園内の必要箇所又は栽培用のビニールハウスの周囲長さの大きさによって、無風時には少なくとも一ケ所以上の場所から設置された電気的方式又は電池式起動で該索道管中に敷設されたフレキシブルケーブルを通じてより強い振動音を流し続ける自然風力と電気・電池式を併用したモグラ忌避装置であり、  
地面に設置した中空状の支柱上に設置された回転羽根により発生する振動を地中に張り巡らせた索道管中にフレキシブルケーブルを通じて栽培用ビニールハウスの周辺地下中に伝達するモグラ忌避であって該回転羽根の回転は別に設けた風見鳥により、３６０度変更可能であり、無風時には少なくとも一ケ所以上の場所から設置された電気的方式又は電池式起動で該索道管中に敷設されたフレキシブルケーブルを通じてより強い振動音を流し続ける事を特徴とするモグラ忌避装置であり、
地面に設置した中空状の支柱上に設置された回転羽根により発生する振動を地中に張り巡らせた索道管中にフレキシブルケーブルを通じて公園内又は栽培用ビニールハウスの周辺地下中に伝達するモグラ忌避であって、無風時には少なくとも一ケ所以上の場所から設置された電気的方式又は電池式起動で該索道管中に敷設されたフレキシブルケーブルを通じてより強い振動音を流し続けるモグラ忌避装置に於いて、該索道管壁に接当して振動音を発生させ尚かつ柔軟軸線の絡まりを防ぐ為に、該フレキシブルケーブルに中空状の複数の球形又は楕円形状及び円柱状の金属片を固定したモグラ忌避装置で有ります。
【発明の効果】
【０００５】
１）回転羽根車式と電気式の両方のモグラ忌避装置を併用するので、風が吹かない日でもモグラ退治が可能に成る。
２）風力に応じて、電気式のモグラ退治の忌避装置の強弱を連動する事で、省エネルギー効果が期待される。
３）回転羽根の風向きによる効果を高める為に、風見鳥の風方向を結合部分で３６０度回転羽根に伝える事が出来るので、風力の効果を最大限に活用可能である。
【発明の実施を最良にするための形態】
【０００６】
１）羽根車を備え付けるのは、自然力を利用して地球に優しい農業を訴える。２）栽培用のビニールハウスの周囲を掘って索道管を埋め込みモグラの侵入を防ぐには、索道管内に発生する音を連続的に発生さす必要があり、その為にフレキシブルケーブルの所所に中空状の複数の球形又は楕円形状及び円柱状の金属片を固定して該フレキシブルケーブルの管内での位置を常に一定に絡まりを防ぐと共に、索道管内の内周との金属音・摩擦音が相乗効果と成って地面迄届き、モグラ忌避の効果を喚起する。
３）回転羽根が回転羽根に正対して設けられた風見鳥の風方向に３６０度対応出来るように成っているので風対応には敏感に対応出来る。
４）無風状態に成ると、電源が入って回転羽根の効果が相乗効果を及ぼす。
【０００７】
図１は、本発明に使用する羽根車（回転羽根）４を用いたモグラ忌避装置１の概略図で有ります。羽根車式は忌避装置としては、風に支配されますが、環境に優しく経費は初期投資だけで、優れていますが、効果を上げるには、数メートルから１０ｍ，２０ｍ毎に設置する必要が有ります。
尚，自然風力だけを利用する回転羽根方式は風力が弱く成ると、効果が無くなるので、図２，３，４のように、モーター回転体と併用するものであります。  風力を有効活用するには、
羽根車４は風見鳥と共にＬ字型結合管として横管に金属製ブッシュ８に回転可能に据え付けられ、横管はほぼ端部を基点として、Ｌ字形に曲げられ風見鳥と支柱の端部を地中に垂直に埋設する。支柱を保持する為に、支柱基点から支柱支承で支える。
【０００８】
図２は本発明の回転羽根式及び電気式併用モグラ忌避装置の主要部の索導管１１のの断面図である。モーター回転体は中空管からなる振動発生軸９に連結し、連結装置１３を介してＬ字状に連結している。
そして上記装置の先端には、音波送信用の巻線（フレキシブルケーブル）１２が配備されている。
接合部分１３は３６０度回転し、管内には回転体安定支持ブッシュによって上と下のフレキシブルケイブルははずれるように成っている。そして打音部との間に管の周囲にはブレ防止ブッシュが設けられている。打音部は巻線を巻置固定するように、３０ｃｍ〜５０ｃｍ間隔にもうけられる。形状は巻線の太さを空洞にした円柱、球、楕円形状のものが使用される。
図３は本発明のモーター回転体及び周辺部の概略断面図である。
図４は結合部分以降のの関係を示す概略断面図である。
打音部は巻線を巻置固定するように、３０ｃｍ〜５０ｃｍ間隔にもうけられる。形状は巻線の太さを空洞にした円柱、球、楕円形状のものが使用される。本発明に使用される回転羽根式と電気式併用モグラ忌避装置は５ｍから１５ｍに１ケ所設けた方が効果がある。
【図面の簡単な説明】
【０００９】
【図１】図１は本発明の回転羽根車式及び電気式併用モグラ忌避装置の概略        側面図。
【図２】図２は本発明の回転羽根及び電気式併用モグラ忌避装置の主要部の        断面図。
【図３】図３は本発明の回転羽根及び電気式併用モグラ忌避装置のモーター        回転部分の断面図。
【図４】図４は回転羽根式及び電気式併用モグラ忌避装置の接合部分以降の        一部断面概略図。
【符号の説明】
【００１０】
１      モグラ忌避装置
２      水平軸結合体（Ｌ字形）
３      水平軸結合体（折れ曲がり部分）
４      羽根車
５ａ    羽根
５ｂ    羽根軸
５ｃ    磁石
６      風見鳥垂直尾翼
７      モーター本体
金属性ブッシュ（羽根本体固定金具）
８      水平軸受け
９      金属製水平軸
１０    ブレ防止ブッシュ      
１１    索導管
１１ａ  振動発生装置本管
１２    音波送信巻線（フレキシブルケーブル）
１３    連結装置
１４    用途別変換装置（回転安定支持ブッシュ）
１４ａ  中空管
１４ｂ  中空管連結部
１５    打音部
１６    末端打音尾部
Ｅ      電気式振動発生装置
【図１】
2006109790.tif 000003
【図２】
2006109790.tif 000004
【図３】
2006109790.tif 000005
【図４】
2006109790.tif 000006